(57)【要約】【課題】複数の発光素子に対して駆動電流を供給する際、電圧降下量のばらつきを抑えて、均一な発光性能を維持できる電気光学装置を提供する。【解決手段】有機ＥＬ表示装置Ｓは、複数の発光素子を有する表示領域１と、表示領域１の外側に設けられ、発光素子に対して電力を供給する電源配線３を有している。電源配線３は、表示領域の周縁に沿って所定方向に延びるように設けられた緑色用電源配線３Ｇと、緑色用電源配線３Ｇと緑色用発光素子とを接続する緑色用電源線６Ｇと、緑色用電源配線６Ｇに並んで配置された赤色用電源配線６Ｒと、赤色用電源配線３Ｒと赤色用発光素子とを接続し、緑色用電源線６Ｇより単位時間当たりの消費電流が大きい赤色用電源線６Ｒとを有し、赤色用電源配線３Ｒは、緑色用電源配線３Ｇと表示領域１との間に配置されている。【選択図】　　　　図１
2004127754.tif 000002
【特許請求の範囲】
【請求項１】
第１の表示素子と、
通常消費電流が前記第１の表示素子よりも大きい第２の表示素子と、
前記第１及び第２の表示素子が配置された表示領域と、
前記表示領域の周縁に沿って所定方向に延びるように設けられ、前記第１の表示素子に対して電力を供給する第１の電源配線と、
前記第１の電源配線に並んで設けられ、前記第２の表示素子に対して電力を供給する第２の電源配線とを有する電気光学装置であって、
前記第２の電源配線は、前記第１の電源配線と前記表示領域との間に配置されており、
前記第２の電源配線と交差して配置され、前記第１の電源配線と前記第１の表示素子とを接続する接続線を有することを特徴とする電気光学装置。
【請求項２】
複数の表示素子が所定の位置に配置された表示領域と、
前記表示領域の周縁に沿って所定方向に延びるように互いに略平行に設けられ、前記複数の表示素子に対して電力を供給する複数の電源配線と、
前記複数の電源配線の少なくとも１と交差して配置され、前記複数の電源配線のそれぞれと前記複数の表示素子とを接続する複数の接続線とを有し、
前記複数の接続線の長さは、それぞれの接続線を通常通過する電流量に応じて、通常通過する電流量の多いもの程短く設けられていることを特徴とする電気光学装置。
【請求項３】
請求項２に記載の電気光学装置において、前記複数の表示素子は前記複数の電源配線に対応して複数のグループに分割されてなることを特徴とする電気光学装置。
【請求項４】
請求項３に記載の電気光学装置において、前記複数のグループのそれぞれは同色の表示素子からなることを特徴とする電気光学装置。
【請求項５】
請求項２に記載の電気光学装置において、前記複数の表示素子は前記複数の接続線に対応して複数のグループに分割されてなることを特徴とする電気光学装置。
【請求項６】
請求項５に記載の電気光学装置において、前記複数のグループは互いに異なる数の表示素子からなることを特徴とする電気光学装置。
【請求項７】
請求項１乃至６の何れか１に記載の電気光学装置において、前記表示素子は有機エレクトロルミネッセンス素子を含むことを特徴とする電気光学装置。
【請求項８】
請求項１乃至請求項７のいずれか一項記載の電気光学装置と、当該電気光学装置に少なくとも表示データを送信する回路とを有することを特徴とする電子機器。
【発明の詳細な説明】
【０００１】
【発明の属する技術分野】
本発明は、発光素子を有する電気光学装置及び電子機器に関するものである。
【０００２】
【従来の技術】
有機エレクトロルミネッセンス（ＥＬ）表示装置は各画素に対応して発光素子である有機ＥＬ素子を有しているが、フルカラー化のために、ガラス基板に赤（Ｒ）、緑（Ｇ）、青（Ｂ）各色の発光素子を備えたものがある。そして、有機ＥＬ表示装置ではこれら発光素子を発光するために電源配線を介して発光素子に対して駆動電流を供給している。電源配線は、発光素子が配置されている表示領域の外側において、表示領域の周縁に沿うように設けられる（例えば、特許文献１参照。）。各色の発光素子に対応して電源配線をそれぞれ設ける場合には互いに隣合うように設けることが望ましい。例えば、青色発光素子に電流を供給するための青色用電源配線は表示領域に近い位置に配置され、緑色発光素子に電流を供給するための緑色用電源配線は表示領域に対して青色用電源配線の外側に配置され、赤色発光素子に電流を供給するための赤色用電源配線は表示領域に対して緑色用電源配線の外側に配置されている。したがって、例えば、赤色用電源配線と表示領域に設けられている赤色発光素子とを接続する接続線は、緑色用電源配線及び青色用電源配線を跨ぐように設けられる。
【０００３】
【特許文献１】
特開２００２−１０８２５２号公報
【０００４】
【発明が解決しようとする課題】
しかしながら、上述した従来の有機ＥＬ表示装置において、以下に述べるような問題が生じるようになった。
【０００５】
すなわち、最も外側に配置されている赤色用接続線は緑色及び青色用電源配線を跨ぐのに対して、緑色用接続線は青色用電源配線のみを跨ぐ構成であり、青色用接続線は電源配線を跨がない。すなわち、赤色用接続線の跨ぎ部分の距離は、緑色用接続線（青色用接続線）の跨ぎ部分に対して長い。跨ぐ距離が長いと、この跨ぎ部分の配線抵抗が増大する。この跨ぎ部分における電圧降下量は配線抵抗値とこれを流れる電流値とによってよって定まるため、配線抵抗値にばらつきがあると電圧降下量にばらつきが生じ、発光素子のそれぞれに供給される電流量が変化する。各色の発光素子それぞれに対する電流供給量が変化すると発光の均一性が低下するなど、表示性能を低下させることになる。
本発明はこのような事情に鑑みてなされたもので、複数の発光素子に対して駆動電流を供給する際、電圧降下量のばらつきを抑えて、均一な発光性能を維持できる電気光学装置及び電子機器を提供することを目的とする。
【０００６】
【課題を解決するための手段】
上記の課題を解決するため、本発明の電気光学装置は、第１の発光素子と、通常消費電流が前記第１の発光素子よりも大きい第２の発光素子と、この第１及び第２の発光素子が所定の位置に配置された表示領域と、この表示領域の周縁に沿って所定方向に延びるように設けられ、第１の発光素子に対して電力を供給する第１の電源配線と、この第１の電源配線に並んで設けられ、第２の発光素子に対して電力を供給する第２の電源配線とを有する電気光学装置であって、この第２の電源配線は、第１の電源配線と表示領域との間に配置されており、第２の電源配線と交差して配置され、第１の電源配線と第１の発光素子とを接続する接続線を有することを特徴とする。ここに、通常消費電流とは標準的な表示状態における平均消費電流であり、例えば、本発明の電気光学装置がカラー表示を行うものであれば、白色を通常の輝度で表示する場合の消費電流が含まれる。
有機ＥＬ素子は色毎に発光効率が異なるのが通常であり、同等の発光輝度を得るためには、互いに異なる電流量を供給する必要がある。本発明は複数の電源配線間で供給電流が異なることを利用して、配線抵抗値のばらつきによる電圧降下量のばらつきを低減しようとするものである。本発明によれば、表示領域の外側においてこの表示領域の周縁に沿うように並んで配置されている複数の電源配線のうち、通常消費電流が大きい表示素子に接続する電源配線を、通常消費電流がより小さい表示素子に接続する電源配線に対して表示領域に近い側（より内側）に配置したので、電源配線と交差してこれを跨ぐ配線である接続線の分だけ配線抵抗が増大するが、そこに流れる電流値は内側の電源配線よりも小さいので、配線抵抗の増分による電圧降下量を比較的小さく抑えることができる。したがって、複数の発光素子それぞれの発光特性を均一化できる。
本発明の電気光学装置は、複数の表示素子が所定の位置に配置された表示領域と、この表示領域の周縁に沿って所定方向に延びるように互いに略平行に設けられ、この複数の表示素子に対して電力を供給する複数の電源配線と、その複数の電源配線の少なくとも１と交差して配置され、その複数の電源配線のそれぞれとこの複数の表示素子とを接続する複数の接続線とを有し、その複数の接続線の長さは、それぞれの接続線を通常通過する電流量に応じて、通常通過する電流量の多いもの程短く設けられていることを特徴とする。
【０００７】
これにより、電源配線が複数ある場合において、外側の電源配線に接続されている接続線における電圧降下量と、内側の電源配線に接続されている接続線における電圧降下量との差を抑えることができるので、これら各電源配線に接続される発光素子の発光特性をより均一化できる。
本発明の電気光学装置において、前記発光素子は有機エレクトロルミネッセンス素子を含む構成が採用される。
【０００８】
これにより、高輝度で高速応答な表示装置を提供できる。
本発明の電子機器は、上記記載の電気光学装置及び当該電気光学装置に少なくとも表示データを送信する回路とを有することを特徴とする。
【０００９】
本発明によれば、優れた発光性能を有する表示装置を備えた電子機器を提供できる。
【００１０】
【発明の実施の形態】
以下、本発明の電気光学装置及び電子機器について図面を参照しながら説明する。図１は本発明の電気光学装置の一例としての有機ＥＬ表示装置を示す図であって、図１は模式的な全体平面図及びその要部拡大図である。
図１において、有機ＥＬ表示装置Ｓは、ガラス等からなる透明な基板Ｐと、基板Ｐ上にマトリクス状に配置された複数の有機エレクトロルミネッセンス（ＥＬ：Ｅｌｅｃｔｒｏｌｕｍｉｎｅｓｃｅｎｃｅ）素子とを備えている。有機ＥＬ素子（発光素子）は、後述する画素電極（陽極）と、機能層と、陰極とを有して形成されており、発光素子の発光状態は、陽極に接続された薄膜トランジスタ（ＴＦＴ：Ｔｈｉｎ　Ｆｉｌｍ　Ｔｒａｎｓｉｓｔｏｒ）を介して制御される。
表示装置Ｓは、基板Ｐの中央に設けられている表示領域１と、基板Ｐの周縁であって表示領域１の外側に設けられている非表示領域２とを備えている。マトリクス状に配置されている複数の発光素子は、表示領域１に設けられている。また、表示装置Ｓは、図１中、Ｘ方向に延びる複数の走査線４と、走査線４に対して交差する方向であるＹ方向に延びる複数の信号線５と、信号線５に並列に延びる複数の電源線（接続線）６とを有している。そして、走査線４と信号線５との各交点付近に、発光素子のそれぞれに対応した複数の画素１００が設けられている。画素１００は発光素子により発光する領域であり、本実施形態において、カラー表示を行うために、赤（Ｒ）、緑（Ｇ）、青（Ｂ）の各色に対応した各画素１００がストライプ状に配列されている。
【００１１】
ここで、信号線５には、シフトレジスタ、レベルシフタ、ビデオライン及びアナログスイッチを備えるデータ側駆動回路（不図示）が接続されている。また、走査線４には、シフトレジスタ及びレベルシフタを備える走査側駆動回路（不図示）が接続されている。
図２は表示装置Ｓの構成の一例を模式的に示す分解斜視図である。本実施形態において、表示装置Ｓは、能動素子としてＴＦＴ（薄膜トランジスタ）を用いたアクティブ型駆動方式の表示装置である。
【００１２】
図２において、表示装置Ｓは、基板Ｐと、基板Ｐ上にマトリクス状に配置された発光素子としての複数の画素１００とを備えている。本実施形態において、画素１００の平面形状は矩形であるが、円形や長円形など他の形状でもよい。カラー表示を行う場合、例えば、赤（Ｒ）、緑（Ｇ）、青（Ｂ）等の各色に対応する画素１００が所定の配列で並ぶ。また、表示装置Ｓは、画素１００のそれぞれに対応して、ＴＦＴを含む能動素子部１４６と、発光層、正孔輸送層等を含む機能層１４０と、画素電極（陽極）１４１と、陰極（対向電極）１５４と、封止部１４７とを備えている。なお、機能層１４０には必要に応じて電子輸送層が含まれる。発光層は、電気光学物質としての有機エレクトロルミネッセンス材料を含む層である。そして、画素電極（陽極）１４１と、陰極（対向電極）１５４と、画素電極１４１と陽極１５４との間に挟まれた機能層１４０とによって発光素子（有機ＥＬ素子）が構成される。なお、本実施形態において、基板Ｐは透明なガラス基板により構成されているが、シリコン基板、石英基板、セラミックス基板、金属基板、プラスチック基板、プラスチックフィルム基板等、透明、不透明を問わず電気光学装置や回路基板に用いられる基板が適用可能である。
画素電極１４１の近傍には、上述した走査線４、信号線５、及び電源線６等が配置されている。また、画素１００には、走査線４を介して走査信号がゲート電極に供給されるスイッチング用のＴＦＴ１４２と、このスイッチング用ＴＦＴ１４２を介して信号線５から供給される画像信号を保持する保持容量１４５と、保持容量１４５により保持された画像信号がゲート電極に供給される駆動用のＴＦＴ１４３とが設けられている。駆動用ＴＦＴ１４３を介して画素電極１４１が電源線６に電気的に接続されたときに、機能層１４０に駆動電流が供給される。スイッチング用及び駆動用ＴＦＴ１４２及び１４３は、それぞれソース電極２６３及びドレイン電極２６６を有しており、その間にソース・ドレイン領域２４２がそれぞれ形成されている。
封止部１４７は、水及び酸素の侵入を防いで陰極１５４あるいは機能層１４０の酸化、腐蝕を防止するものであり、基板Ｐに塗布される封止樹脂、及び基板Ｐに貼り合わせられる封止基板（封止缶）１４８等を含む。基板Ｐの内側には乾燥剤が配置されており、両者の間に形成された空間にはＮ２ガスを充填したＮ２ガス充填層１４９が形成されている。
画素１００の境界部には仕切り部材（バンク）２８１が設けられている。仕切り部材２８１は画素１００を取り囲むように設けられており、機能層１４０を例えば液滴吐出法（インクジェット法）により形成する際、仕切り部材２８１の内側に液滴吐出装置から吐出された液滴を貯留させ、液滴を位置決めするとともに隣接する画素の機能層材料の混合を防ぐ。
画素１００では、走査線４が駆動されてスイッチング用ＴＦＴ１４２がオンすると、そのときの信号線５の電位が保持容量１４５に保持され、この保持容量１４５の状態に応じて、駆動用ＴＦＴ１４３の導通状態が決まる。また、この駆動用ＴＦＴ１４３の導通状態に応じた電流量が画素電極１４１を介して電源線６から機能層１４０に供給される。このとき供給される電流量に応じて発光素子の発光強度乃至は発光量が決まる。
図１に戻って、非表示領域２には、発光素子に対して電力を供給する電力供給線（電源配線）３（３Ｒ、３Ｇ、３Ｂ）が設けられている。このうち、電力供給線３Ｒは赤色（Ｒ）の画素１００に対応する発光素子に電力を供給するものであり、電力供給線３Ｇは緑色（Ｇ）の画素１００に対応する発光素子に電力を供給するものであり、電力供給線３Ｂは青色（Ｂ）の画素１００に対応する発光素子に電力を供給するものである。本実施形態において、電力供給線３Ｒ、３Ｇ、３Ｂのそれぞれは、Ｙ方向に延びる部分とＸ方向に延びる部分（電源配線）とを有する屈曲形状である。このうち、電力供給線３Ｒ、３Ｇ、３ＢそれぞれのＹ方向に延びる部分に駆動回路７が接続しており、電力供給線３Ｒ、３Ｇ、３ＢそれぞれのＸ方向に延びる部分（電源配線）に電源配線から画素１００に電源を供給する電源線（接続線）６が接続している。発光素子たる画素１００を発光させるための駆動回路７からの電源電流は、電力供給線３及び電源線６を介して発光素子の画素電極１４１に供給される。また、駆動回路７からは走査信号、画像信号が出力され、上述の走査線４及び信号線５をそれぞれ介して画素１００に供給される。画素電極１４１に供給された電流は、前記機能層１４０を介して陰極１５４に流れ、機能層１４０はこれを流れる電流量に応じて発光する。ここで、以下の説明において、電力供給線３（３Ｒ、３Ｂ、３Ｇ）のうち、Ｘ方向（所定方向）に延びる部分を、特に電源配線３と称して説明する。
上述したように、非表示領域２に設けられている電源配線３Ｒ、３Ｂ、３Ｇのそれぞれは、表示領域１の周縁に沿って、図１中、Ｘ方向（所定方向）に延びるように並んで配設されている。本実施形態において、３本の電源配線３Ｒ、３Ｇ、３Ｇのうち、赤色発光素子に電流を供給するための赤色用電源配線３Ｒは表示領域１に近い側（内側）に配置され、緑色発光素子に電流を供給するための緑色用電源配線３Ｇは表示領域１に対して赤色用電源配線３Ｒの外側に配置され、青色発光素子に電流を供給するための青色用電源配線３Ｂは表示領域１に対して緑色用電源配線３Ｇの外側に配置されている。そして、これら各電源配線３Ｒ、３Ｇ、３Ｂのそれぞれに対して複数の（例えば画素１００の各列毎に）電源線（接続線）６が接続されている。
図１の電源配線３と電源線（接続線）６との接続部分近傍の拡大図に示すように、緑色用電源配線（第２の電源配線）３Ｇ及び赤色用電源配線（第２の電源配線）３Ｒは、青色用電源配線（第１の電源配線）３Ｂと表示領域１との間に配置されている。
赤色用電源配線３Ｒには赤色用電源線６Ｒが接続している。赤色用電源線６Ｒには表示領域１に配置されている赤色発光素子が接続されている。緑色用電源配線３Ｇには緑色用電源線６Ｇが接続している。緑色用電源線６Ｇには表示領域１に配置されている緑色発光素子が接続されている。青色用電源配線３Ｂには青色用電源線６Ｂが接続している。青色用電源線６Ｂには表示領域１に配置されている青色発光素子が接続されている。ここで、赤色発光素子を含む赤色用電源線６Ｒの単位時間当たりの消費電流は、緑色発光素子を含む緑色用電源線６Ｇ及び青色発光素子を含む青色用電源線６Ｂの単位時間当たりの消費電流に比べて大きい。また、緑色発光素子を含む緑色用電源線６Ｇの単位時間当たりの消費電流は、青色発光素子を含む青色用電源線６Ｂの単位時間当たりの消費電流に比べて大きい。すなわち、複数の電源線（接続線）６Ｒ、６Ｇ、６Ｂのうち単位時間当たりの消費電流が最も大きい電源線６Ｒを有する電源配線３Ｒが表示領域１に近い位置に配置され、表示領域１に対して外側に向かうにつれて単位時間当たりの消費電流が順次小さくなる電源線６Ｇ、６Ｂを有する電源配線３Ｇ、３Ｂが配置されている。
青色用電源線６Ｂは緑色用電源配線３Ｇ及び赤色用電源配線３Ｒと交差し、この緑色及び赤色用電源配線３Ｇ、３Ｒを跨いで表示領域１の発光素子（画素電極）に接続する。緑色用電源線６Ｇは赤色用電源配線３Ｒと交差し、この赤色用電源配線３Ｒを跨いで表示領域１の発光素子（画素電極）に接続する。
図３は電源線６と電源配線３との交差部分（跨ぎ部分）を示す模式図であって、図３（ａ）は平面図、図３（ｂ）は図３（ａ）のＢ−Ｂ断面図、図３（ｃ）は図３（ａ）のＣ−Ｃ断面図である。図３に示すように、表示装置Ｓは複数の層を積層した多層構造であって、赤色用電源配線３Ｒと緑色用電源配線３Ｇと青色用電源配線３Ｂとは同じ層（レイヤ）に設けられている。また、青色用電源配線３Ｂと青色用電源線６Ｂとも同じ層に設けられ、緑色用電源配線３Ｇと緑色用電源線６Ｇとも同じ層に設けられている。そして、青色用電源配線３Ｂと青色用電源線６Ｂとは、これら青色用電源配線３Ｂ及び青色用電源線６Ｂと異なる層に設けられた導電部１０Ｂを介して接続されている。また、緑色用電源配線３Ｇと緑色用電源線６Ｇとは、これら緑色用電源配線３Ｇ及び緑色用電源線６Ｇと異なる層に設けられた導電部１０Ｇを介して接続されている。すなわち、青色用電源配線３Ｂと接続する青色用電源線（接続線）６Ｂは導電部１０Ｂを含み、緑色用電源配線３Ｇと接続する緑色用電源線（接続線）６Ｇは導電部１０Ｇを含んでいる。そして、緑色用電源線６Ｇの一部である導電部１０Ｇの長さは、青色用電源線６Ｂの一部である導電部１０Ｂより短く設定されている。
導電部１０Ｂ、１０Ｇと、青色、緑色用電源配線３Ｂ、３Ｇ及び青色、緑色用電源線６Ｂ、６Ｇとの間には絶縁層１１が設けられており、この絶縁層１１に設けられたコンタクトホール１１ａ、１１ｂを介して、青色用電源配線３Ｂ及び青色用電源線６Ｂと導電部１０Ｂとが接続されているとともに、絶縁層１１に設けられたコンタクトホール１１ｃ、１１ｄを介して、緑色用電源配線３Ｇ及び緑色用電源線６Ｇと導電部１０Ｇとが接続されている。青色用電源配線３Ｂに供給された電流は導電部１０Ｂを介して青色用電源線６Ｂに流れ、緑色用電源配線３Ｇに供給された電流は導電部１０Ｇを介して緑色用電源線６Ｇに流れる。
以上説明したように、表示領域１の外側においてこの表示領域１の周縁に沿うように並んで配置されている複数の電源配線３Ｂ、３Ｇ、３Ｒのうち、消費電流が大きい赤色用電源線６Ｒに接続する赤色用電源配線３Ｒを、消費電流が小さい緑色及び青色用電源線６Ｇ、６Ｂに接続する緑色及び青色用電源配線３Ｇ、３Ｂに対して表示領域１に近い側（内側）に配置したので、青色及び緑色用電源線６Ｂ、６Ｇの距離は、跨ぎ部分の距離分、すなわち、導電部１０Ｂ、１０Ｇの距離の分だけ長くなるが、青色用電源線６Ｂ（緑色用電源線６Ｇ）に流れる電流値Ｉのほうが赤色用電源線６Ｒに流れる電流値Ｉより小さいので、青色用電源線６Ｂ（緑色用電源線６Ｇ）の抵抗値Ｒは導電部１０Ｂ（１０Ｇ）の分だけ大きくなったとしても、オームの法則（Ｖ＝Ｉ・Ｒ）より、赤色用電源線６Ｒの電圧降下量Ｖを小さく抑えることができる。跨ぎ部分の電圧降下の増大は供給電圧の低下を意味するだけでなく、供給電圧がばらつくことにもつながるが、これを小さく抑えることにより、発光素子の発光特性を均一化でき、表示性能に優れた有機ＥＬ装置を提供できる。
なお、上記実施形態において、赤色用発光素子に接続する赤色用電源線の単位時間当たりの消費電流は緑色及び青色用発光素子に接続する緑色及び青色用電源線の消費電流より大きいとして説明したが、単位時間当たりの消費電流は使用される材料（機能層の材料）に応じて変化する。したがって、材料に基づく消費電流値を予め求め、この求めた結果に基づいて電源配線の配置を設定すればよい。なお、上記実施形態は、外側の電源配線３Ｂに接続する電源線６Ｂの消費電流が最も少なく、内側に向かうにつれて順次消費電流が大きくなる電源線６Ｇ、６Ｒに接続する電源配線６Ｇ、６Ｂが配置された構成であるが、例えば、表示領域１に近い位置に配置された赤色用電源配線３Ｒの外側に、青色用電源配線３Ｂを配置し、その外側に緑色用電源配線３Ｇを配置する構成であってもよい。すなわち、複数の電源配線のうち、選択された第１の電源配線と、この第１の電源配線と表示領域との間に配置された第２の電源配線とにおいて、表示領域側に近い第２の電源配線に接続された電源線の単位時間当たりの消費電流が第１の電源配線に接続された電源線の単位時間当たりの消費電流より大きい構成を有していれば、この第１及び第２の電源配線以外の電源配線の、接続された電源線の消費電流に基づく配置は任意でよい。
上記実施形態において、３本の電力供給線のそれぞれは表示領域１に対して同じ側、すなわち、電力供給線のうちＹ方向に延びる部分が表示領域１に対して−Ｘ側に配置されている構成であるが、例えば、図４（ａ）に示すように、複数の電力供給線のうち、一部の電力供給線が表示領域１に対して−Ｘ側に配置され、残りの電力供給線が表示領域１に対して＋Ｘ側に配置されている構成でもよい。図４（ａ）に示す例では、青色及び緑色用電力供給線３Ｇ、３Ｇが表示領域１の−Ｘ側に配置され、赤色用電力供給線３Ｒが表示領域１の＋Ｘ側に配置されている。また、電源配線（電力供給線のうちＸ方向に延びる部分）も、３本全てが表示領域１に対して同じ側（＋Ｙ側）に配置されている構成の他に、一部の電源配線が表示領域１に対して＋Ｙ側に配置され、残りの電源配線が表示領域１に対して−Ｙ側に配置された構成でもよい。
また、上記実施形態において、電力供給線はＲＧＢの各色に対応して３本設けられた構成であるが、図４（ｂ）に示すように、例えば、Ｂ及びＧに対応する発光素子に対して電力を供給するための電力供給線を１本とし、この１本の電力供給線（電源配線）から青色用電源線６Ｂ及び緑色用電源線６Ｇに分岐させてもよい。
上記実施形態の有機ＥＬ表示装置を備えた電子機器の例について説明する。
【００１３】
図５は、携帯電話の一例を示した斜視図である。図５において、符号１０００は携帯電話本体を示し、符号１００１は上記の有機ＥＬ表示装置を用いた表示部を示している。
【００１４】
図６は、腕時計型電子機器の一例を示した斜視図である。図６において、符号１１００は時計本体を示し、符号１１０１は上記の有機ＥＬ表示装置を用いた表示部を示している。
【００１５】
図７は、ワープロ、パソコンなどの携帯型情報処理装置の一例を示した斜視図である。図７において、符号１２００は情報処理装置、符号１２０２はキーボードなどの入力部、符号１２０４は情報処理装置本体、符号１２０６は上記の有機ＥＬ表示装置を用いた表示部を示している。
【００１６】
図５〜図７に示す電子機器は、上記実施形態の有機ＥＬ表示装置を備えているので、表示品位に優れ、明るい画面の有機ＥＬ表示部を備えた電子機器を実現することができる。
上記実施形態は、本発明の電源配線の配線パターンを有機ＥＬ表示装置に適用したものであるが、有機ＥＬ表示装置に限らず、ＰＤＰ（プラズマディスプレイパネル）表示装置や液晶表示装置など、素子への電力供給線が複数あり、これら各線において跨ぎ部分が存在する表示装置であれば、各種装置に適用可能である。また、上記の全ての実施形態において、駆動回路７は表示装置Ｓの非表示領域２内に配置されているが、本発明はかかる構成に限定されるものではない。即ち、駆動回路７は表示装置Ｓの外部、例えば電子機器の側やそれとの中継基板上に配置されていても良く、図中の駆動回路７の位置に駆動回路７との接続のための配線パターン又はコネクタを設けても良い。また、上記の全ての実施例において、電源供給線３が駆動回路７に接続されているが、本発明はかかる構成に限定されるものではない。即ち、電源供給線３を、駆動回路７を介することなく、不図示の電源回路に接続することも可能である。
【００１７】
【発明の効果】
以上説明したように、表示領域の外側に並んで配置されている複数の電源配線のうち、消費電流が大きい第２の接続線に接続する第２の電源配線を、消費電流が小さい第１の接続線に接続する第１の電源配線に対して内側に配置したので、第１の接続線の距離が第２の接続線の距離より跨ぎ部分の距離分だけ長くなっても、第１の接続線に流れる電流値のほうが第２の接続線より小さいので、第２の接続線における電圧降下量を抑えることができる。したがって、複数の発光素子それぞれの発光特性を均一化でき、良好な表示性能を有する電気光学装置を提供できる。
【図面の簡単な説明】
【図１】本発明の電気光学装置としての有機ＥＬ表示装置の一実施形態を示す図である。
【図２】有機ＥＬ表示装置の構成の一例を示す斜視図である。
【図３】電源配線と電源線との交差部分を示す図であって、（ａ）は平面図、（ｂ）は（ａ）のＢ−Ｂ断面図、（ｃ）は（ａ）のＣ−Ｃ断面図である。
【図４】本発明の有機ＥＬ表示装置の他の実施形態を示す平面図である。
【図５】本発明の電気光学装置を備えた電子機器の一例を示す図である。
【図６】本発明の電気光学装置を備えた電子機器の一例を示す図である。
【図７】本発明の電気光学装置を備えた電子機器の一例を示す図である。
【符号の説明】
１…表示領域
２…非表示領域
３…電源配線
３Ｒ…赤色用電源配線（第２の電源配線）
３Ｇ…緑色用電源配線（第２の電源配線）
３Ｂ…青色用電源配線（第１の電源配線）
６Ｒ…赤色用電源線（第２の接続線）
６Ｇ…緑色用電源線（第２の接続線）
６Ｂ…青色用電源線（第１の接続線）
Ｓ…有機ＥＬ表示装置（電気光学装置）
【図１】
2004127754.tif 000003
【図２】
2004127754.tif 000004
【図３】
2004127754.tif 000005
【図４】
2004127754.tif 000006
【図５】
2004127754.tif 000007
【図６】
2004127754.tif 000008
【図７】
2004127754.tif 000009